(57)【要約】【課題】  対となる雌雄コネクタを容易に識別可能として雌雄コネクタの誤嵌合を防止すると共に製造コストを低減させることのできる雌雄コネクタの嵌合構造を提供する。【解決手段】  互いに嵌合可能な雌雄コネクタの嵌合構造１において、雌コネクタ３０が、雌ハウジング３１と、雌ハウジング３１に装着されると共にガイド溝３６を有して雄コネクタに設けられた嵌合部１７に嵌合する雌アダプタ３４と、を備え、雄コネクタ１０が、ガイド溝３６と係合可能なガイドリブ１８を嵌合部１７に備えており、雌アダプタ３４が、雌ハウジング３１に対し所定の角度毎に回転して雌ハウジング３１に装着可能とされており、雌アダプタ３４が定められた角度で装着された雌コネクタ３０にのみ、ガイドリブ１８とガイド溝３６とが係合して雌雄コネクタの嵌合を許容する。【選択図】  図４
2006040838.tif 000002
【特許請求の範囲】
【請求項１】
互いに嵌合可能な雌雄コネクタの嵌合構造であって、
前記雌雄コネクタのいずれか一方の第１のコネクタが、ハウジングと、該ハウジングに装着されると共に第１の嵌合規制手段を有して前記雌雄コネクタの他方の第２のコネクタに設けられた嵌合部に嵌合する第１のアダプタと、を備え、
前記第２のコネクタが、前記嵌合部に、前記第１の嵌合規制手段と係合可能な第２の嵌合規制手段を備え、
前記第１のアダプタが、前記第１のコネクタの前記ハウジングに対し所定の角度毎に回転して該ハウジングに装着可能とされており、
前記第１のアダプタが定められた角度で装着された前記第１のコネクタにのみ、前記第１の嵌合規制手段と前記第２の嵌合規制手段とが係合して前記雌雄コネクタの嵌合を許容する、
ことを特徴とする雌雄コネクタの嵌合構造。
【請求項２】
前記第１のコネクタの前記ハウジングが、正多角形状に形成された第１のアダプタ取付孔を有し、
前記第１のアダプタが、前記第１のアダプタ取付孔に対応して正多角形状に形成された取付部を有し、該取付部を前記第１のアダプタ取付孔に嵌合させることにより所定の角度毎に回転して前記第１のコネクタの前記ハウジングに装着可能とされている、
ことを特徴とする請求項１に記載の雌雄コネクタの嵌合構造。
【請求項３】
前記第１の嵌合規制手段が、前記雌雄コネクタの嵌合方向に沿って前記第１のアダプタに形成された溝部であり、
前記第２の嵌合規制手段が、前記溝部に対応して前記第２のコネクタの前記嵌合部より突出して形成された凸部である、
ことを特徴とする請求項１または請求項２に記載の雌雄コネクタの嵌合構造。
【請求項４】
前記第２のコネクタが、ハウジングと、該ハウジングに対し所定の角度毎に回転して該ハウジングに装着可能とされた第２のアダプタと、を備え、
前記嵌合部が、前記第２のアダプタに設けられている、
ことを特徴とする請求項１から請求項３のいずれかに記載の雌雄コネクタの嵌合構造。
【請求項５】
前記第２のコネクタの前記ハウジングが、前記第１のコネクタの前記第１のアダプタ取付孔と相似な正多角形状に形成された第２のアダプタ取付孔を有し、
前記第２のアダプタが、前記第２のアダプタ取付孔に対応して正多角形状に形成された取付部を有し、該取付部を前記第２のアダプタ取付孔に嵌合させることにより所定の角度毎に回転して前記第２のコネクタの前記ハウジングに装着可能とされている、
ことを特徴とする請求項４に記載の雌雄コネクタの嵌合構造。
【発明の詳細な説明】
【技術分野】
【０００１】
本発明は、雌雄コネクタの嵌合構造に関する。
【背景技術】
【０００２】
従来、電線を電気機器や他の電線に電気的に接続するために用いられる雌雄コネクタにおいて、両者の誤嵌合を防止するために、雌コネクタのコネクタハウジングにガイド溝を設け、雄コネクタのコネクタハウジングに前記ガイド溝に係合するガイドリブを設けた雌雄コネクタが用いられている（例えば、特許文献１参照。）。
【０００３】
図７及び図８に示されるように、特許文献１に開示された雄コネクタ１０２および雌コネクタ１０３は、シールド電線１０９を電気機器等に接続するために使用され、自動車に搭載されるシールドコネクタである。
【０００４】
雄コネクタ１０２は、絶縁性の合成樹脂で形成されたインナーハウジング１２１と導電性非磁性体で形成されたアウターハウジング１０４とを一体に有している。インナーハウジング１２１は中空略円筒状に形成され、ピン状の雄型端子１４３の長手方向中間部をその内部空間に収容して保持している。アウターハウジング１０４は、インナーハウジング１２１およびインナーハウジング１２１から突出した雄型端子１４３の先端部の電気接触子１４２の外側を覆うように中空略円筒状に形成されている。このアウターハウジング１０４の外周面には、雌コネクタ１０３を固定するための係合突起１４４および、アウターハウジング１０４の開口端部から雌コネクタ１０３との嵌合方向に伸びるガイドリブ１７４が設けられている。
【０００５】
雌コネクタ１０３は絶縁性の合成樹脂で形成されたインナーハウジング１１４およびアウターハウジング１１５を一体に有している。インナーハウジング１１４は中空略円筒状に形成され、シールド電線１０９の心線１２６に電気的に接続された雌型端子１２２をその内部空間に収容して保持している。アウターハウジング１１５は、インナーハウジング１１４の後端部の外周に近接して位置する筒状部１１６と、この筒状部１１６の前端部およびインナーハウジング１１４の前端部を覆う中空略円筒状に形成されたフード部１１７とで構成されている。このフード部１１７の後端部内側に、雄コネクタ１０２を固定するためのロックアーム１３９が設けられており、また、このフード部１１７の前端部内側には、フード部１１７の開口端部から雄コネクタ１０２との嵌合方向に伸びるガイド溝１４０が設けられている。
【０００６】
雄コネクタ１０２のアウターハウジング１０４が雌コネクタ１０３のフード部１１７の内部に挿入されて雄コネクタ１０２および雌コネクタ１０３が嵌合した状態において、雄コネクタ１０２の係合突起１４４と雌コネクタ１０３のロックアーム１３９が係合し、雄コネクタ１０２および雌コネクタ１０３を互いに固定している。
【０００７】
そして、雄コネクタ１０２のガイドリブ１７４と雌コネクタ１０３のガイド溝１４０とが対応する位置にそれぞれ配置されていることにより、雄コネクタ１０２のアウターハウジング１０４を雌コネクタ１０３のフード部１１７の内部に挿入することが可能となり、雄コネクタ１０２と雌コネクタ１０３との嵌合が許容される。即ち、雄コネクタ１０２のガイドリブ１７４と雌コネクタ１０３のガイド溝１４０とによって、雄コネクタ１０２および雌コネクタ１０３の誤嵌合が防止されている。
【特許文献１】特開２００２−１１７９４７号公報（第３〜５頁、第２〜５図）
【発明の開示】
【発明が解決しようとする課題】
【０００８】
ところで、上記した構成の雌雄コネクタが複数組ある場合、対となる雌雄コネクタを容易に識別できるようにするために、換言すれば、誤って雄コネクタを対とならない雌コネクタに嵌合してしまうことがないように、一般に、ガイドリブおよびガイド溝のそれぞれの位置を各組毎に変えている。
【０００９】
しかしながら、ガイドリブおよびガイド溝の位置を各組毎にそれぞれ変えるためには、雌コネクタおよび雄コネクタを射出成形する際に、異なる位置にガイドリブおよびガイド溝を形成するための金型の入れ替えを行う必要があった。このため、複数組の雌雄コネクタを揃える場合に、雌雄コネクタの組数と同数の金型が必要となり、且つ、金型を入れ替える手間がかかるため、雌雄コネクタの製造コストを低減させるためには更なる対応が必要とされていた。
【００１０】
本発明は、上記事情に鑑みてなされたものであり、対となる雌雄コネクタを容易に識別可能として雌雄コネクタの誤嵌合を防止すると共に製造コストを低減させることのできる雌雄コネクタの嵌合構造を提供することを目的としている。
【課題を解決するための手段】
【００１１】
上記目的を達成するため、本発明に係る雌雄コネクタの嵌合構造は、下記（１）〜（５）を特徴としている。
【００１２】
（１）  互いに嵌合可能な雌雄コネクタの嵌合構造であって、
前記雌雄コネクタのいずれか一方の第１のコネクタが、ハウジングと、該ハウジングに装着されると共に第１の嵌合規制手段を有して前記雌雄コネクタの他方の第２のコネクタに設けられた嵌合部に嵌合する第１のアダプタと、を備え、
前記第２のコネクタが、前記嵌合部に、前記第１の嵌合規制手段と係合可能な第２の嵌合規制手段を備え、
前記第１のアダプタが、前記第１のコネクタの前記ハウジングに対し所定の角度毎に回転して該ハウジングに装着可能とされており、
前記第１のアダプタが定められた角度で装着された前記第１のコネクタにのみ、前記第１の嵌合規制手段と前記第２の嵌合規制手段とが係合して前記雌雄コネクタの嵌合を許容すること。
（２）  上記（１）に記載の雌雄コネクタの嵌合構造において、
前記第１のコネクタの前記ハウジングが、正多角形状に形成された第１のアダプタ取付孔を有し、
前記第１のアダプタが、前記第１のアダプタ取付孔に対応して正多角形状に形成された取付部を有し、該取付部を前記第１のアダプタ取付孔に嵌合させることにより所定の角度毎に回転して前記第１のコネクタの前記ハウジングに装着可能とされていること。
（３）  上記（１）または（２）に記載の雌雄コネクタの嵌合構造において、
前記第１の嵌合規制手段が、前記雌雄コネクタの嵌合方向に沿って前記第１のアダプタに形成された溝部であり、
前記第２の嵌合規制手段が、前記溝部に対応して前記第２のコネクタの前記嵌合部より突出して形成された凸部であること。
（４）  上記（１）〜（３）のいずれかに記載の雌雄コネクタの嵌合構造において、
前記第２のコネクタが、ハウジングと、該ハウジングに対し所定の角度毎に回転して該ハウジングに装着可能とされた第２のアダプタと、を備え、
前記嵌合部が、前記第２のアダプタに設けられていること。
（５）  上記（４）に記載の雌雄コネクタの嵌合構造において、
前記第２のコネクタの前記ハウジングが、前記第１のコネクタの前記第１のアダプタ取付孔と相似な正多角形状に形成された第２のアダプタ取付孔を有し、
前記第２のアダプタが、前記第２のアダプタ取付孔に対応して正多角形状に形成された取付部を有し、該取付部を前記第２のアダプタ取付孔に嵌合させることにより所定の角度毎に回転して前記第２のコネクタの前記ハウジングに装着可能とされていること。
【００１３】
上記（１）に記載の雌雄コネクタの嵌合構造によれば、所定の角度毎にて嵌合部の異なる位置に第２の嵌合規制手段を設けられた複数種の第２のコネクタに対して、第１のアダプタを所定の角度毎に回転させて定められた角度で第１のコネクタのハウジングに装着し、第１の嵌合規制手段を第２の嵌合規制手段に対応した位置（係合可能な位置）に変更することにより、共通の第１のアダプタを用いて、複数種の第２のコネクタとそれぞれ対となる識別可能な複数種の第１のコネクタを提供することができる。
【００１４】
そして、少なくとも雌雄コネクタのいずれか一方の第１のコネクタに関しては、異なる位置に第１の嵌合規制手段を形成するためにコネクタ毎に金型を入れ替えることが不要となり、また、コネクタ毎に金型を揃える必要もなくなるので、雌雄コネクタの製造に要する作業時間の短縮、雌雄コネクタの製造に係わる部品点数や金型の削減につながり、雌雄コネクタの製造コストを低減させることができる。
【００１５】
また、上記（２）に記載の雌雄コネクタの嵌合構造によれば、第１のアダプタ取付孔と第１のアダプタの取付部とをそれぞれ正多角形状に形成し、この正多角形状を利用して、簡単な構造で第１のアダプタを所定の角度毎に回転して第１のコネクタのハウジングに装着可能としている。これにより、第１のアダプタを定められた角度に設定する作業が容易となり、さらなる製造コストの低減を図ることができる。
【００１６】
また、上記（３）に記載の雌雄コネクタの嵌合構造によれば、第１のアダプタが定められた角度で装着された第１のコネクタにおいては、第１の嵌合規制手段が第２の嵌合規制手段に対応した位置（係合可能な位置）に配置され、雌雄コネクタの嵌合移動に伴い第２の嵌合規制手段である凸部が第１の嵌合規制手段である溝部に収容されるので雌雄コネクタの嵌合が許容される。一方、第１のアダプタが定められた角度以外の角度で装着された第１のコネクタにおいては、第２の嵌合規制手段である凸部が第１のアダプタの溝部以外の箇所に干渉して雌雄コネクタの嵌合が不能となる。このように、簡単な構造で、第１のアダプタが定められた角度で装着された第１のコネクタにのみ、雌雄コネクタの嵌合を許容するようにすることができ、さらなる製造コストの低減を図ることができる。
【００１７】
また、上記（４）に記載の雌雄コネクタの嵌合構造によれば、第２のコネクタの嵌合部を、第１のアダプタと同じく所定の角度毎に回転して第２のコネクタのハウジングに装着可能とされた第２のアダプタに設けており、対となる雌雄コネクタ毎に第１のアダプタおよび第２のアダプタを定められた角度で第１のコネクタのハウジングおよび第２のコネクタのハウジングにそれぞれ装着することができ、共通の第１および第２のアダプタを用いて、識別可能な複数組の雌雄コネクタを提供することができる。
【００１８】
これにより、雌雄コネクタのいずれのコネクタに関しても、異なる位置に第１および第２の嵌合規制手段を形成するためにコネクタ毎に金型を入れ替えることが不要となり、また、コネクタ毎に金型を揃える必要もなくなるので、雌雄コネクタの製造に要する作業時間のさらなる短縮、雌雄コネクタの製造に係わる部品点数や金型のさらなる削減につながり、雌雄コネクタの製造コストを一層低減させることができる。
【００１９】
また、上記（５）に記載の雌雄コネクタの嵌合構造によれば、第２のアダプタ取付孔を第１のアダプタ取付孔と相似な正多角形状に形成し、且つ第２のアダプタの取付部を第２のアダプタ取付孔に対応した正多角形状に形成し、この正多角形状を利用することにより、第１のアダプタおよび第２のアダプタの回転角度を、簡単な構造で容易に且つ確実に同一の角度に設定することができ、さらなる製造コストの低減を図ることができる。
【発明の効果】
【００２０】
本発明によれば、対となる雌雄コネクタを容易に識別可能として雌雄コネクタの誤嵌合を防止すると共に製造コストを低減させることのできる雌雄コネクタの嵌合構造を提供することができる。
【００２１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２２】
以下、本発明に係る好適な実施形態を図面に基づいて詳細に説明する。
【００２３】
（第１実施形態）
図１は本発明の第１実施形態である雌雄コネクタの嵌合構造の外観斜視図、図２は図１に示す雄コネクタの分解斜視図、図３（ａ）は図１に示す雌コネクタの分解斜視図、（ｂ）は同図（ａ）に示す雌アダプタの部分破断斜視図、図４は複数組の雌雄コネクタを構成する際の雌アダプタの装着について説明するための斜視図である。
【００２４】
図１〜図３に示すように、雌雄コネクタの嵌合構造１は、雌雄コネクタのいずれか一方の第１のコネクタである雌コネクタ３０と、雌雄コネクタのいずれか他方の第２のコネクタである雄コネクタ１０との嵌合構造であり、シールド電線等の電線２３を電気機器や他の電線に接続するためのものである。尚、図１〜図３に示される軸線ＣＬは、雄コネクタ１０と雌コネクタ３０との嵌合時に基準となる軸線である。
【００２５】
先ず、図１および図２を参照して、雄コネクタ１０の構造について説明する。雄コネクタ１０は、雄ハウジング１１と、雄ハウジング１１に固定される雄インナハウジング１５と、後述の雌コネクタ３０の雌側端子４０に接続する雄側端子２２と、を備えている。
【００２６】
雄側端子２２は、電線２３の端末部に固定されており、電線２３の不図示の心線に電気的に接続されている。そして、電線２３の雄側端子２２との接続部近傍にはＯリング等のシール材２６が設けられている。
【００２７】
雄インナハウジング１５は略円柱状の部材であり、その軸線上に、該軸線に雄側端子２２の軸線を一致させて雄側端子２２を収容する端子収容孔２１が貫通して設けられている。雄側端子２２を端子収容孔２１に収容した際に雄側端子２２の先端部側となる雄インナハウジング１５の一方の端部（以後、雄インナハウジング１５の先端部と称する。）には、後述の雌アダプタ３４と嵌合する嵌合部１７が設けられている。嵌合部１７の外周面上の適宜の位置には、前記軸線に沿って伸びる第２の嵌合規制手段であるガイドリブ（凸部）１８が突設されている。
【００２８】
雄インナハウジング１５の他方の端部（以後、雄インナハウジング１５の基端部と称する。）１６の周縁部には、前記軸線に沿って突出した一対の突起部２０，２０が設けられている。また、雄インナハウジング１５の基端部１６および嵌合部１７の中間部分には、Ｏリング等のシール材２７が嵌め込まれるシール溝１９が設けられている。
【００２９】
雄ハウジング１１は、軸線ＣＬに垂直な断面において略紡錘形の柱状部材であり、雄側端子２２を挿通される端子挿通孔１２が軸線ＣＬ上に貫通して設けられており、また、この端子挿通孔１２に隣接し且つ平行に雌雄コネクタの嵌合状態を固定するための固定手段であるボルト１４を挿通されるボルト挿通孔１３が貫通して設けられている。
【００３０】
端子挿通孔１２の一方の端部には、雄側端子２２を挿入される挿入口１２ｃが設けられており、挿入口１２ｃの内径は電線２３に装着されたシール材２６が密着する径とされている。そして、雄インナハウジング１５の基端部１６を収容する収容部１２ａが、挿入口１２ｃに接続し且つ端子挿通孔１２の他方の端部に開口して設けられている。収容部１２ａの内径は雄インナハウジング１５の基端部１６の外径と同一か、若しくは僅かに大きい径とされており、且つ挿入口１２ｃの内径よりも大きい径とされている。雄インナハウジング１５は、基端部１６を収容部１２ａに嵌合させ、雄インナハウジング１５の前記軸線を軸線ＣＬに一致させて雄ハウジング１１に保持される。
【００３１】
端子挿通孔１２の挿入口１２ｃおよび収容部１２ａの接続箇所に形成された段部には、雄インナハウジング１５の基端部１６に設けられた突起部２０，２０とそれぞれ係合する係合溝１２ｂ，１２ｂが設けられている。雄インナハウジング１５の基端部１６が端子挿通孔１２の収容部１２ａに収容された際に、突起部２０，２０と係合溝１２ｂ，１２ｂとが係合することにより、雄インナハウジング１５が雄ハウジング１１に対して軸線ＣＬ回りに回転することが防止される。
【００３２】
ここで、上記構成における雄コネクタ１０の組み立ての手順を説明する。
【００３３】
先ず、電線２３に２枚の取付板２４を通し、電線２３の端末部に雄側端子２２を固定する。そして、雄側端子２２を、雄ハウジング１１の挿入口１２ｃから端子挿通孔１２に挿通する。電線２３のシール材２６が挿入口１２ｃに内嵌して密着した状態において、ネジ２５を用いて取付板２４を雄ハウジング１１に締結し、雄側端子２２および電線２３を雄ハウジング１１に固定する。
【００３４】
そして、雄側端子２２を端子収容孔２１に収容しながら、雄インナハウジング１５の基端部１６を端子挿通孔１２の収容部１２ａに挿入する。雄インナハウジング１５の基端部１６を端子挿通孔１２の収容部１２ａに嵌合させ、且つ、基端部１６に設けられた突起部２０，２０を端子挿通孔１２の係合溝１２ｂ，１２ｂにそれぞれ係合させて、雄インナハウジング１５を雄ハウジング１１に固定し、雄コネクタ１０の組み立てを完了する。
【００３５】
次に、図１および図３を参照して、雌コネクタ３０の構造について説明する。この雌コネクタ３０は、雌ハウジング３１と、雌ハウジング３１に装着されると共に雄コネクタ１０の嵌合部１７と嵌合する第１のアダプタである雌アダプタ３４と、雄コネクタ１０の雄側端子２２に接続する雌側端子４０と、を備えている。
【００３６】
雌側端子４０は、基端部４１を不図示の電線や電気機器の回路等に電気的に接続されると共に、先端部４３を雄コネクタ１０の雄側端子２２と嵌合させて電気的に接続される。  また、基端部４１と先端部４３の間には、六角形状に形成された回り止め４２が設けられている。
【００３７】
雌アダプタ３４は、雄インナハウジング１５の嵌合部１７を内嵌される中空略円筒状のフード部３５と、フード部３５の軸線に垂直な断面において正六角形状に形成された取付部３８と、を有している。取付部３８は、その軸線をフード部３５の前記軸線に一致させて設けられている。フード部３５の内壁面には、雄インナハウジング１５のガイドリブ１８と係合する第２の嵌合規制手段であるガイド溝３６が前記軸線に沿って形成されている。また、取付部３８には、雌側端子４０の基端部４１を挿通され、雌側端子４０の軸線をフード部３５の前記軸線に一致させて雌側端子４０を保持する端子保持孔３９、および、回り止め４２に対応する六角形状に形成されて回り止め４２と嵌合することにより雌側端子４０の回転を防止する凹部３７が設けられている。
【００３８】
雌ハウジング３１は、軸線ＣＬに垂直な断面において略紡錘形の柱状部材であり、雌ハウジング３１の一方の端部に開口し、且つ軸線ＣＬに雌アダプタ３４のフード部３５の前記軸線を一致させて雌アダプタ３４のフード部３５を収容する雌アダプタ収容部３２ａと、軸線ＣＬ方向に収容部３２ａに連続し且つ雌アダプタ３４の取付部３８に対応して軸線ＣＬに垂直な断面において正六角形状に形成された雌アダプタ取付孔３２ｂと、を有している。雌アダプタ３４のフード部３５が雌アダプタ収容部３２ａに収容された際には、雌アダプタ３４の取付部３８が雌アダプタ取付孔３２ｂに嵌合する。
【００３９】
さらに、雌ハウジング３１は、軸線ＣＬ方向に雌アダプタ取付孔３２ｂに連続し且つ雌ハウジング３１の他方の端面に開口した端子収容部３２ｃを有し、この端子収容部３２ｃは雌アダプタ３４から突出した雌側端子４０の基端部４１を収容する。また、雌ハウジング３１は、ボルト１４に対応するネジ溝を形成されたネジ孔３３を有している。
【００４０】
ここで、上記構成における雌コネクタ３０の組み立て手順を説明する。
【００４１】
先ず、雌側端子４０の基端部４１を、フード部３５側から雌アダプタ３４の取付部３８の端子保持孔３９に挿通し、雌側端子４０の回り止め４２を取付部３８の凹部３７に嵌合させて、雌側端子４０を雌アダプタ３４に固定する。
【００４２】
次に、雌アダプタ３４のフード部３５を雌ハウジング３１の雌アダプタ収容部３２ａに収容すると共に、雌アダプタ３４の取付部３８を雌ハウジング３１の雌アダプタ取付孔３２ｂに嵌合させて、雌アダプタ３４を雌ハウジング３１に装着する。
【００４３】
尚、雌アダプタ３４の取付部３８を雌アダプタ取付孔３２ｂに嵌合させる際には、雌アダプタ３４のフード部３５に形成されたガイド溝３６が、雄インナハウジング１５のガイドリブ１８に対応する位置となるように、雌アダプタ３４を、軸線ＣＬ回りに所定の角度毎（本実施形態において取付部３８および雌アダプタ取付孔３２ｂは断面正六角形状に形成されているので、６０度毎）に回転させ、取付部３８を雌アダプタ取付孔３２ｂに嵌合させる。
【００４４】
そして、雌側端子４０の基端部４１に不図示の電線等を電気的に接続し、また、雌ハウジング３１の端子収容部３２ｃと基端部４１との間を不図示のパッキンやキャップ等を用いて密封し、雌コネクタ３０の組み立てを完了する。
【００４５】
次に、図４を参照して、雌雄コネクタの嵌合構造において、識別可能な複数組の雌雄コネクタを構成する際の雌アダプタ３４の装着について説明する。尚、図４（ａ）に示す雌雄コネクタの嵌合構造１の状態を便宜的に基準とし、嵌合部１７の外周面上の適宜の位置に設けられたガイドリブ１８の軸線ＣＬ回りの回転角度、および、雌ハウジング３１に対する雌アダプタ３４の軸線ＣＬ回りの回転角度を、それぞれ０度とする。
【００４６】
図４（ｂ）に示す雌雄コネクタの嵌合構造１’において、雄インナハウジング１５’のガイドリブ１８は、嵌合部１７の外周面上の回転角度６０度の位置に設けられており、図４（ｃ）に示す雌雄コネクタの嵌合構造１”において、雄インナハウジング１５”のガイドリブ１８は、嵌合部１７の外周面上の回転角度１２０度の位置に設けられている。
【００４７】
これに対応して、雌アダプタ３４は、軸線ＣＬ回りに６０度毎に回転して定められた回転角度に設定された状態で取付部３８を雌アダプタ取付孔３２ｂに嵌合させ、ガイド溝３６をガイドリブ１８に対応した位置（係合可能な位置）に変位させて雌ハウジング３１に装着される。即ち、図４（ａ）に示す雌雄コネクタの嵌合構造１において、ガイド溝３６はガイドリブ１８と係合可能な位置に配置されており、雌アダプタ３４は軸線ＣＬ回りに０度回転して雌ハウジング３１に装着される。これにより、ガイド溝３６がガイドリブ１８と係合可能な位置に配置される。
【００４８】
図４（ｂ）に示す雌雄コネクタの嵌合構造１’において、ガイドリブ１８は回転角度６０度の位置に設けられており、よって、雌アダプタ３４は図４（ａ）に示す状態から軸線ＣＬ回りに６０度回転して雌ハウジング３１に装着される。これにより、ガイド溝３６がガイドリブ１８と係合可能な位置に配置される。また、図４（ｃ）に示す雌雄コネクタの嵌合構造１”において、ガイドリブ１８は回転角度１２０度の位置に設けられており、よって、雌アダプタ３４は図４（ａ）に示す状態から軸線ＣＬ回りに１２０度回転して雌ハウジング３１に装着される。これにより、ガイド溝３６がガイドリブ１８と係合可能な位置に配置される。
【００４９】
対となる雄コネクタ１０および雌コネクタ３０は、互いに嵌合可能な姿勢（即ち、雄ハウジング１１のボルト挿通孔１３と雌ハウジング３１のネジ孔３３とが対向し、且つ、雄側端子２２と雌側端子４０とが対向する姿勢）において、雄インナハウジング１５のガイドリブ１８と雌アダプタ３４のガイド溝３６とが係合可能な位置に配置されており、よって、雄コネクタ１０および雌コネクタ３０が嵌合する際には、ガイドリブ１８がガイド溝３６に収容されながら嵌合部１７が雌アダプタ３４のフード部３５に挿入され、ボルト挿通孔１３とネジ孔３３とが接続され、ボルト１４により雄ハウジング１１および雌ハウジング３１が締結され、雄コネクタ１０および雌コネクタ３０が嵌合状態にて固定される。
【００５０】
これに対し、対とならない雌雄コネクタ、例えば、雄コネクタ１０と雌コネクタ３０’は、互いに嵌合可能な姿勢において雄インナハウジング１５のガイドリブ１８と雌アダプタ３４のガイド溝３６とがずれており、ガイドリブ１８が雌アダプタ３４のフード部３５に干渉して雄インナハウジング１５の嵌合部１７を雌アダプタ３４のフード部３５に挿入することができない。また、雄インナハウジング１５のガイドリブ１８と雌アダプタ３４のガイド溝３６とが対応するように、雄コネクタ１０または雌コネクタ３０’のいずれかを軸線ＣＬ回りに回転させた場合には、ボルト挿通孔１３とネジ孔３３とが接続されず、雄ハウジング１１と雌ハウジング３１とをボルト１４により締結することができない。このように、複数組の雌雄コネクタにおいて、対となる雌雄コネクタが容易に識別され、雌雄コネクタの誤嵌合が防止される。
【００５１】
上述した雌雄コネクタの嵌合構造１によれば、所定の角度毎にて嵌合部１７の異なる位置にガイドリブ１８を設けられた複数種の雄コネクタ１０，１０’，１０”に対して、雌アダプタ３４を所定の角度毎に回転させて定められた角度で雌ハウジング３１に装着し、雌アダプタ３４のガイド溝３６をガイドリブ１８に対応した位置（係合可能な位置）に変更することにより、共通の雌アダプタ３４を用いて、複数種の雄コネクタ１０，１０’，１０”とそれぞれ対となる識別可能な複数種の雌コネクタ３０，３０’，３０”を提供することができる。
【００５２】
即ち、雌コネクタ３０に関しては、ガイドリブ１８と係合可能な位置にガイド溝３６を形成するためにコネクタ毎に金型を入れ替えることが不要となり、また、コネクタ毎に金型を揃える必要もなくなるので、雌雄コネクタの製造に要する作業時間の短縮、雌雄コネクタの製造に係わる部品点数や金型の削減につながり、雌雄コネクタの製造コストを低減させることができる。
【００５３】
また、雌アダプタ取付孔３２ｂと雌アダプタ３４の取付部３８とをそれぞれ正六角形状に形成し、この正六角形状を利用して、簡単な構造で雌アダプタ３４を所定の角度毎に回転させて定められた角度において雌ハウジング３１に装着可能としている。これにより、雌アダプタ３４を定められた角度に設定する作業が容易となり、さらなる製造コストの低減を図ることができる。
【００５４】
また、雄コネクタ１０を雌コネクタ３０に嵌合させた後に、雌雄コネクタをボルト１４により締結するようにしているため、対とならない雌雄コネクタの誤嵌合や、雌雄コネクタの嵌合が不十分であることを容易に確認することができる。
【００５５】
（第２実施形態）
次に、図５および図６を参照して、本発明の第２実施形態である雌雄コネクタの嵌合構造を説明する。図５は本発明の第２実施形態である雌雄コネクタの嵌合構造に係る雄コネクタの分解斜視図、図６は本発明の第２実施形態である雌雄コネクタの嵌合構造において複数組の雌雄コネクタを構成する際の雄アダプタおよび雌アダプタの装着について説明するための斜視図であるである。尚、本実施形態の雌雄コネクタの嵌合構造２は、上述した第１実施形態の雌雄コネクタの嵌合構造１における雄コネクタ１０の雄インナハウジング１５を、雄ハウジング１１に対して所定の角度毎に回転して雄ハウジング１１に装着可能に構成したものであり、他の部材については共通するものであるので同一符号を付すことにより説明を省略する。
【００５６】
図５に示すように、本実施形態の雌雄コネクタの嵌合構造２に係る雄コネクタ５０は、雄ハウジング５１と、雄ハウジング５１に装着される第２のアダプタである雄アダプタ５５と、雌コネクタ３０の雌側端子４０（図３参照。）に接続する雄側端子２２と、を備えている。
【００５７】
雄アダプタ５５は略円柱状の部材であり、その軸線上に、該軸線に雄側端子２２の軸線を一致させて雄側端子２２を収容する端子収容孔６１が貫通して設けられている。雄側端子２２を端子収容室６１に収容した際に雄側端子２２の先端部側となる雄アダプタ５５の一方の端部（以後、雄アダプタ５５の先端部と称する。）には、雌アダプタ３４のフード部３５（図３参照。）と嵌合する嵌合部５７が設けられている。嵌合部５７の外周面上には、前記軸線に沿って伸びる第２の嵌合規制手段であるガイドリブ（凸部）５８が突設されている。
【００５８】
雄アダプタ５５の他方の端部（以後、雄アダプタ５５の基端部と称する。）５６の突端には、該軸線に垂直な断面において正六角形状に形成された取付部６０が設けられている。また、雄アダプタ５５の後端部５６と嵌合部５７との中間部分には、シール材２７が嵌め込まれるシール溝５９が設けられている。
【００５９】
雄ハウジング５１は、軸線ＣＬに垂直な断面において略紡錘形の柱状部材であり、軸線ＣＬ上に雄側端子２２を挿通される端子挿通孔５２が貫通して設けられており、また、この端子挿通孔５２に隣接し且つ平行に、雌雄コネクタの嵌合状態を固定するための固定手段であるボルト１４を挿通されるボルト挿通孔１３が貫通して設けられている。
【００６０】
端子挿通孔５２の一方の端部には、雄側端子５２を挿入される挿入口５２ｃが設けられており、挿入口５２ｃの内径は電線２３に装着されたシール材２６が密着する径とされている。また、端子挿通孔５２の他方の端部には、該端部に開口して雄アダプタ５５の基端部５６を収容する雄アダプタ収容部５２ａと、雄アダプタ５５の取付部６０に対応して軸線ＣＬに垂直な断面において正六角形状に形成され且つ雄アダプタ収容部５２ａと挿入口５２ｃとを連通させる雄アダプタ取付孔５２ｂとが設けられている。雄アダプタ収容部５２ａの内径は雄アダプタ５５の基端部５６の外径よりも僅かに大きい径とされており、雄アダプタ５５は、基端部５６を雄アダプタ収容部５２ａに嵌合させると共に取付部６０を雄アダプタ取付孔５２ｂに嵌合させ、雄アダプタ５５の前記軸線を軸線ＣＬに一致させて雄ハウジング５１に装着される。
【００６１】
ここで、上記構成における雄コネクタ５０の組み立ての手順を説明する。
【００６２】
先ず、電線２３に２枚の取付板２４を通し、電線２３の端末部に雄側端子２２を固定する。そして、雄側端子２２を、雄ハウジング５１の挿入口５２ｃから端子挿通孔５２に挿通する。電線２３のシール材２６が挿入口５２ｃに内嵌して密着した状態において、ネジ２５を用いて取付板２４を雄ハウジング５１に締結し、雄側端子２２および電線２３を雄ハウジング５１に固定する。
【００６３】
そして、雄側端子２２を端子収容孔６１に収容しながら、雄アダプタ５５の基端部５６を端子挿通孔５２の雄アダプタ収容部５２ａに挿入する。雄アダプタ５５の基端部５６を端子挿通孔５２の雄アダプタ収容部５２ａに嵌合させ、且つ、基端部５６に設けられた取付部６０を端子挿通孔５２の雄アダプタ取付孔５２ｂに嵌合させて、雄アダプタ５５を雄ハウジング５１に装着し、雄コネクタ５０の組み立てを完了する。
【００６４】
尚、雄アダプタ５５の取付部６０を雄アダプタ取付孔５２ｂに嵌合させる際には、雄アダプタ５５の嵌合部５７に形成されたガイドリブ５８が、雌アダプタ３４のガイド溝３６に対応する位置となるように、雄アダプタ５５を、軸線ＣＬ回りに所定の角度毎（本実施形態において取付部６０および雄アダプタ取付孔５２ｂは断面正六角形状に形成されているので、６０度毎）に回転させ、取付部６０を雄アダプタ取付孔５２ｂに嵌合させる。
【００６５】
他の構成は上述した第１実施形態の雌雄コネクタの嵌合構造１と同様であるので説明を省略する。
【００６６】
次に、図６を参照して、本実施形態の雌雄コネクタの嵌合構造において識別可能な複数組の雌雄コネクタを構成する際の雄アダプタ５５と雌アダプタ３４の装着について説明する。尚、図６（ａ）に示す雌雄コネクタの嵌合構造２の状態を便宜的に基準とし、雄ハウジング５１に対する雄アダプタ５５の軸線ＣＬ回りの回転角度、および、雌ハウジング３１に対する雌アダプタ３４の軸線ＣＬ回りの回転角度を、それぞれ０度とする。
【００６７】
雄アダプタ５５は、軸線ＣＬ回りに６０度毎に回転し、定められた回転角度に設定された状態で取付部６０を雄アダプタ取付孔５２ｂに嵌合させて、雄ハウジング５１に装着されている。即ち、図６（ｂ）に示す雌雄コネクタの嵌合構造２’において、雄アダプタ５５は図６（ａ）に示す状態から軸線ＣＬ回りに６０度回転して雄ハウジング５１に装着されており、図６（ｃ）に示す雌雄コネクタの嵌合構造２”において、雄アダプタ５５は図６（ａ）に示す状態から軸線ＣＬ回りに１２０度回転して雄ハウジング５１に装着されている。
【００６８】
よって、雄アダプタ５５のガイドリブ５８は、図６（ａ）に示す位置を基準（回転角度０度の位置）として、図６（ｂ）に示す雄コネクタ５０’においては回転角度６０度の位置に、また図６（ｃ）に示す雄コネクタ５０”においては回転角度１２０度の位置に、それぞれ配置されており、雄ハウジング５１のボルト挿通孔１３（固定手段）に対する相対位置を、雄アダプタ５５の回転角度に応じて可変とされている。
【００６９】
これに対応して、雌アダプタ３４は、軸線ＣＬ回りに６０度毎に回転して定められた回転角度に設定された状態で取付部３８を雌アダプタ取付孔３２ｂに嵌合させ、ガイド溝３６をガイドリブ５８に対応した位置（係合可能な位置）に変位させて雌ハウジング３１に装着される。即ち、図６（ａ）に示す雌雄コネクタの嵌合構造２において、ガイド溝３６はガイドリブ５８と係合可能な位置に配置されており、雌アダプタ３４は軸線ＣＬ回りに０度回転して雌ハウジング３１に装着される。これにより、ガイド溝３６がガイドリブ５８と係合可能な位置に配置される。
【００７０】
図６（ｂ）に示す雌雄コネクタの嵌合構造２’において、ガイドリブ５８は回転角度６０度の位置に設けられており、よって、雌アダプタ３４は図６（ａ）に示す状態から軸線ＣＬ回りに６０度回転して雌ハウジング３１に装着される。これにより、ガイド溝３６がガイドリブ５８と係合可能な位置に配置される。また、図６（ｃ）に示す雌雄コネクタの嵌合構造２”において、ガイドリブ５８は回転角度１２０度の位置に設けられており、よって、雌アダプタ３４は図６（ａ）に示す状態から軸線ＣＬ回りに１２０度回転して雌ハウジング３１に装着される。これにより、ガイド溝３６がガイドリブ５８と係合可能な位置に配置される。
【００７１】
対となる雄コネクタ５０および雌コネクタ３０は、互いに嵌合可能な姿勢（即ち、雄ハウジング５１のボルト挿通孔１３と雌ハウジング３１のネジ孔３３とが対向し、且つ、雄側端子２２と雌側端子４０とが対向する姿勢）において、雄アダプタ５５のガイドリブ５８と雌アダプタ３４のガイド溝３６とが係合可能な位置に配置されており、よって、雄コネクタ５０および雌コネクタ３０が嵌合する際には、ガイドリブ５８がガイド溝３６に収容されながら嵌合部５７が雌アダプタ３４のフード部３５に挿入され、ボルト挿通孔１３とネジ孔３３とが接続され、ボルト１４により雄ハウジング５１および雌ハウジング３１が締結され、雄コネクタ５０および雌コネクタ３０が嵌合状態にて固定される。
【００７２】
これに対し、対とならない雌雄コネクタ、例えば、雄コネクタ５０と雌コネクタ３０’は、互いに嵌合可能な姿勢において雄アダプタ５５のガイドリブ５８と雌アダプタ３４のガイド溝３６とがずれており、ガイドリブ５８が雌アダプタ３４のフード部３５に干渉して雄アダプタ５５の嵌合部５７を雌アダプタ３４のフード部３５に挿入することができない。また、雄アダプタ５５のガイドリブ５８と雌アダプタ３４のガイド溝３６とが対応するように、雄コネクタ５０または雌コネクタ３０’のいずれかを軸線ＣＬ回りに回転させた場合には、ボルト挿通孔１３とネジ孔３３とが接続されず、ボルト１４により雄ハウジング５１および雌ハウジング３１を締結することができない。これにより、複数組の雌雄コネクタにおいても、対となる雌雄コネクタが容易に識別され、雌雄コネクタの誤嵌合が防止される。
【００７３】
上述した雌雄コネクタの嵌合構造２によれば、対となる雌雄コネクタ毎に、雄アダプタ５５および雌アダプタ３４を定められた角度において雄ハウジング５１および雌ハウジング３１にそれぞれ装着することにより、係合可能な位置関係を維持しながらガイドリブ５８およびガイド溝３６の位置を固定手段であるボルト挿通孔１３およびネジ孔３３に対して変更可能とすることができる。
【００７４】
これにより、複数組の雌雄コネクタにおいて、全部品を共用して識別可能な複数組の雌雄コネクタを構成することができ、従来、所定の位置にガイドリブ５８およびガイド溝３６を形成して対となる雌雄コネクタの識別を可能とするために行っていたコネクタ毎の金型の入れ替えが、雌コネクタ５０および雄コネクタ３０のいずれにおいても不要となり、また、雌雄コネクタ毎の金型を揃える必要もなくなるので、製造時の作業時間をさらに短縮し、且つ雌雄コネクタの製造に係わる部品点数や金型をさらに削減することができる。これにより雌雄コネクタの製造コストを一層低減させることができる。
【００７５】
また、雄アダプタ取付孔５２ｂを雌アダプタ取付孔３２ｂと相似な正多角形状に形成し、且つ雄アダプタ５５の取付部６０を雄アダプタ取付孔５２ｂに対応した正多角形状に形成し、この正多角形状を利用することにより、雄アダプタ５５および雌アダプタ３４の回転角度を、簡単な構造で容易に且つ確実に同一の角度に設定することができ、さらなる製造コストの低減を図ることができる。
【００７６】
その他の作用・効果は上述した第１実施形態の雌雄コネクタの嵌合構造１と同様であるので省略する。
【００７７】
尚、本発明は、前述した実施形態に限定されるものではなく、適宜、変形、改良、等が可能である。その他、前述した実施形態における各構成要素の形状、寸法、数値、形態、数、配置箇所、等は本発明を達成できるものであれば任意であり、限定されない。
【００７８】
例えば、上述した各実施形態において、雌アダプタ取付孔３２ｂおよび雌アダプタ３４の取付部３８、および、雄アダプタ取付孔５２ｂおよび雄アダプタ５５の取付部６０を、それぞれ正六角形状に形成しており、雌アダプタ３４および雄アダプタ５５は６０度毎に回転して０度、６０度、１２０度、１８０度、２４０度、３００度の６種の回転角度において雌ハウジング３１および雄ハウジング５１にそれぞれ装着することができるが、雌アダプタ取付孔３２ｂおよび雌アダプタ３４の取付部３８、および、雄アダプタ取付孔５２ｂおよび雄アダプタ５５の取付部６０を正六角形状よりも多角の正多角形状にすれば、その角数と同数の複数の回転角度を設定することができ、１種類の雌アダプタおよび雄アダプタを共用して識別可能な雌雄コネクタをその角数と同数の組数まで構成することが可能になる。
【図面の簡単な説明】
【００７９】
【図１】本発明の第１実施形態である雌雄コネクタの嵌合構造の外観斜視図である。
【図２】図１に示す雄コネクタの分解斜視図である。
【図３】（ａ）は図１に示す雌コネクタの分解斜視図、（ｂ）は同図（ａ）に示す雌アダプタの部分破断斜視図である。
【図４】図１に示す雌雄コネクタの嵌合構造において複数組の雌雄コネクタを構成する際の雌アダプタの装着について説明するための斜視図である。
【図５】本発明の第２実施形態である雌雄コネクタの嵌合構造に係る雄コネクタの分解斜視図である。
【図６】本発明の第２実施形態である雌雄コネクタの嵌合構造において複数組の雌雄コネクタを構成する際の雌アダプタの装着について説明するための斜視図である。
【図７】（ａ）は従来の雌コネクタの正面図、（ｂ）は従来の雄コネクタの正面図である。
【図８】の図７に示す雄コネクタおよび雌コネクタの断面図である。
【符号の説明】
【００８０】
１，１’，１”        雌雄コネクタの嵌合構造
１０，１０’，１０”  雄コネクタ
１１    雄ハウジング
１３    ボルト挿通孔
１４    ボルト
１５    雄インナハウジング
１８    ガイドリブ（嵌合規制手段）
２２    雄側端子
３０，３０’，３０”  雌コネクタ
３１    雌ハウジング
３２ｂ  雌アダプタ取付孔
３３    ネジ孔
３４    雌アダプタ
３６    ガイド溝（嵌合規制手段）
３８    取付部
４０    雌側端子
【図１】
2006040838.tif 000003
【図２】
2006040838.tif 000004
【図３】
2006040838.tif 000005
【図４】
2006040838.tif 000006
【図５】
2006040838.tif 000007
【図６】
2006040838.tif 000008
【図７】
2006040838.tif 000009
【図８】
2006040838.tif 000010